(57)【要約】【課題】簡単な構成で多様な音色を発生できる水琴窟を提供する。【解決手段】壷状の水琴窟本体３内の下部に水14を貯留可能な貯水部15を設ける。貯水部15に貯留する水14の水位を調整する水位調整シリンダ23を設ける。底部11に開口部13を設け、開口部13から貯水部15へと水滴17を落下させて水琴窟本体内３で音を発生させる。貯水部15に貯留する水14の水位を水位調整シリンダ23により調整することで、開口部13から落下する水滴17の落下距離を変えることができ、簡単な構成で多様な音色を容易に発生できる。【選択図】図１
0003122985.tif 000002
【実用新案登録請求の範囲】
【請求項１】
壷状の水琴窟本体と、この水琴窟本体内の下部に設けられ水を貯留可能な貯水部と、前記水琴窟本体の底部に設けられた開口部とを具備し、この開口部から前記貯水部へと水滴を落下させることにより前記水琴窟本体内で音を発生させる水琴窟であって、
前記貯水部に貯留される水の水位を調整する水位調整部を備えた
ことを特徴とした水琴窟。
【請求項２】
水位調整部は、
給水部と貯水部とを連通する給水管と、
前記貯水部と排水部とを連通する排水管と、
この排水管に一端側が連通し、他端側が一端側よりも上方に位置する管部と、
前記給水管に一端側が連通し、他端側が前記管部内に上方に向けて挿入された筒状のシリンダ部と、
このシリンダ部に一端側が摺動可能に挿入され、他端側が前記管部内に突出し、前記管部の他端側から前記シリンダ部に対する突出量を調整可能な筒状のピストン部とを有している
ことを特徴とした請求項１記載の水琴窟。
【請求項３】
貯水部に貯留される水の水位を水琴窟本体の外部にて確認可能にする水位確認部を備えた
ことを特徴とした請求項１または２記載の水琴窟。
【請求項４】
貯水部にて開口部の下方に設けられ、前記貯水部の貯留される水が所定の水位となった際に露出する音響体と、
この音響体の位置を移動可能な移動機構とを備えた
ことを特徴とした請求項１ないし３いずれか一記載の水琴窟。
【考案の詳細な説明】
【技術分野】
【０００１】
本考案は、開口部から貯水部へと水滴を落下させることにより水琴窟本体内で音を発生させる水琴窟に関する。
【背景技術】
【０００２】
従来、この種の水琴窟は、底部を上側として配置した壷状の水琴窟本体を備え、この水琴窟本体内の下部に、水を貯留する貯水部が設けられ、水琴窟本体の底部に開口形成された開口部から水滴を貯水部へと落下させることで、貯水部に貯留された水に落下した水滴音を水琴窟本体で共鳴させて開口部から外部へと音を発生させるように構成されている。
【０００３】
このような水琴窟では、開口部から貯水部に貯留された水の水面への落下位置が略一定となることから、水滴音が単調になりやすく、興趣性に乏しいという問題がある。
【０００４】
そこで、貯水部の水の中央部と周縁部とに水を落下させる水滴落下用天板を設けた水琴窟が知られている（例えば、特許文献１参照。）。
【特許文献１】特開２００５−１０３３２号公報（第９−１０頁、図２−３）
【考案の開示】
【考案が解決しようとする課題】
【０００５】
上述の水琴窟では、貯水部への水滴の落下位置が異なることで、水滴音のリズムを多様にすることが可能となっているものの、同じ水面の異なる位置に水滴が落下するに過ぎないため、その多様さは充分とはいえないという問題点を有している。
【０００６】
また、上述の水琴窟では、水琴窟本体の上部に水滴落下用天板を設けなければならず、構成を簡略化することが容易でないという問題点を有している。
【０００７】
本考案は、このような点に鑑みなされたもので、簡単な構成で多様な音色を発生できる水琴窟を提供することを目的とする。
【課題を解決するための手段】
【０００８】
請求項１記載の水琴窟は、壷状の水琴窟本体と、この水琴窟本体内の下部に設けられ水を貯留可能な貯水部と、前記水琴窟本体の底部に設けられた開口部とを具備し、この開口部から前記貯水部へと水滴を落下させることにより前記水琴窟本体内で音を発生させる水琴窟であって、前記貯水部に貯留される水の水位を調整する水位調整部を備えたものである。
【０００９】
請求項２記載の水琴窟は、請求項１記載の水琴窟において、水位調整部は、給水部と貯水部とを連通する給水管と、前記貯水部と排水部とを連通する排水管と、この排水管に一端側が連通し、他端側が一端側よりも上方に位置する管部と、前記給水管に一端側が連通し、他端側が前記管部内に上方に向けて挿入された筒状のシリンダ部と、このシリンダ部に一端側が摺動可能に挿入され、他端側が前記管部内に突出し、前記管部の他端側から前記シリンダ部に対する突出量を調整可能な筒状のピストン部とを有しているものである。
【００１０】
請求項３記載の水琴窟は、請求項１または２記載の水琴窟において、貯水部に貯留される水の水位を水琴窟本体の外部にて確認可能にする水位確認部を備えたものである。
【００１１】
請求項４記載の水琴窟は、請求項１ないし３いずれか一記載の水琴窟において、貯水部にて開口部の下方に設けられ、前記貯水部の貯留される水が所定の水位となった際に露出する音響体と、この音響体の位置を移動可能な移動機構とを備えたものである。
【考案の効果】
【００１２】
請求項１記載の考案によれば、貯水部に貯留される水の水位を水位調整部により調整することで、開口部から落下する水滴の落下距離を変えることができ、簡単な構成で多様な音色を容易に発生できる。
【００１３】
請求項２記載の考案によれば、ピストン部のシリンダ部に対する突出量を管部の他端側から調整することで、貯水部と連通した管部内でのシリンダ部から突出したピストン部の他端部の位置が水琴窟本体の貯水部の水位と等しくなるので、貯水部の水位を容易に設定できる。
【００１４】
請求項３記載の考案によれば、貯水部に貯留される水の水位を水琴窟本体の外部にて水位確認部により確認可能であるため、この水位確認部により確認しながら貯水部に対して給排水が可能になり、貯水部の水位調整の作業性が良好になる。
【００１５】
請求項４記載の考案によれば、貯水部の水位を所定の水位として露出させた音響体の位置を移動機構により移動させることで、開口部から落下する水滴の音響体との衝突位置を可変できるので、水滴が音響体に衝突して発生する音を多様に変化させることが可能になる。
【考案を実施するための最良の形態】
【００１６】
以下、本考案の一実施の形態の水琴窟の構成を図１および図２を参照して説明する。
【００１７】
図１において、１は水琴窟を示し、この水琴窟１は、土台部２上に載置された壷状の水琴窟本体３を備え、この水琴窟本体３の周囲を囲んで内枠部４が形成され、この内枠部４の外方に外枠部５が形成され、かつ、内枠部４と外枠部５との上部に亘って、蓋部６が形成され、内枠部４と外枠部５との間に、給水部７が形成されている。
【００１８】
水琴窟本体３は、例えば粘土などで成形されて焼成された陶器などであり、底部11を上側として土台部２上に配置した略有底円筒壷状に形成され、内枠部４と蓋部６とにより囲まれた平面視円形状の空間部である本体収容部12に収容されている。また、水琴窟本体３の底部11の中央部には、開口部13が開口形成され、水琴窟本体３内の下端部と土台部２との間には、給水部７から供給された水14を貯留する貯水部15が形成されている。
【００１９】
本体収容部12の内部には、所定の特殊軽石16が多数配設されている。これら特殊軽石16は、水琴窟本体３を本体収容部12内に固定し、水琴窟本体３内の余韻効果を向上し保つように構成されている。
【００２０】
開口部13は、水滴17を貯水部15へと落下させる部分であり、蓋部６に開口形成された共鳴開口部としての窟口18の直下に位置している。
【００２１】
ここで、窟口18は、水琴窟本体３内で共鳴された水滴音の余韻が開口部13を介して水琴窟１の外部へと導出される開口部である。
【００２２】
また、貯水部15の底部となる土台部２には、この貯水部15に給水部７から給水するための給水管21と、この貯水部15から図示しない排水部へと排水するための排水管22とが連通接続され、これら給水管21と排水管22との間に貯水部15に貯留される水14の水位を調整する水位調整部としての水位調整シリンダ23が配設されている。さらに、貯水部15内には、音響体としての燐銅太鼓24が配設され、この燐銅太鼓24が移動機構25により貯水部15内にて水平方向に移動可能となっている。そして、貯水部15内の土台部２上には、図示しない貨幣（硬貨）が敷き詰められている。
【００２３】
給水管21は、貯水部15に一端部が連通し土台部２内に略水平に埋設された給水管本体26と、この給水管本体26の他端部に連続して給水部７内で上方に略垂直に立ち上がる給水立上り管27とを備え、この給水立上り管27から分岐された分岐管部28を介して給水部７と連通している。
【００２４】
給水管本体26には、第１給水弁としての第１給水栓31が配設されている。この第１給水栓31は、上下に長尺状の第１調整桿32の下端部が図示しない弁体に連結され、蓋部６の上方に突出した第１調整桿32の上端部に設けられた第１調整ハンドル33を操作することにより開閉可能となっている。
【００２５】
給水立上り管27は、その上端部が蓋部６の上方に突出し、蓋体35により閉塞されている。また、この給水立上り管27内には、この給水立上り管27内の水14上に浮上する水位確認ブイ36が配設されている。
【００２６】
ここで、水位確認ブイ36は、上部に水位確認用針37が設けられ、この水位確認用針37は、蓋体35に挿通されて、蓋部６に上下方向に設けられた水位目盛り38にて、貯水部15の水位を指し示すように構成されている。そして、これら水位確認ブイ36、水位確認用針37および水位目盛り38により、貯水部15内の水位を水琴窟本体３の外部にて確認可能にする水位確認部39が構成されている。
【００２７】
分岐管部28には、第２給水弁としての第２給水栓41が配設されている。この第２給水栓41は、上下に長尺状の第２調整桿42の下端部が図示しない弁体に連結され、蓋部６の上方に突出した第２調整桿42の上端部に設けられた第２調整ハンドル43を操作することにより開閉可能となっている。
【００２８】
また、排水管22は、貯水部15に一端部が連通し土台部２内にて下方へと傾斜するように埋設され、その先端部が排水部に連通している。さらに、この排水管22には、排水弁としての排水栓45が配設されている。この排水栓45は、上下に長尺状の排水調整桿46の下端部が図示しない弁体に連結され、蓋部６の上方に突出した排水調整桿46の上端部に設けられた排水調整ハンドル47を操作することにより開閉可能となっている。
【００２９】
水位調整シリンダ23は、給水部７内で上下に長尺状に形成された筒状の管部51と、この管部51に挿通されたシリンダ部52と、管部51内に位置するピストン部53とを備えている。
【００３０】
管部51は、その上端部が蓋部６の上方に突出して管部蓋体55により閉塞されている。また、この管部51の下端部は、排水管22に、排水栓45の下流側で連通している。
【００３１】
シリンダ部52は、給水管21の第１給水栓31の上流側かつ第２給水栓41の下流側に一端部が連通するとともに先端部が管部51内に挿入された略Ｌ字状の連通管部57を有し、この連通管部57の先端部には、管部51内で上方に向けて略垂直に屈曲された屈曲管部58が連続して形成されている。そして、この屈曲管部58の上端部には、図２に示すように、ピストン部53の一端部である下端部が摺動可能に挿入されている。
【００３２】
ピストン部53は、円筒状のピストン部本体61と、このピストン部本体61の下端部の外周に設けられたシール部材62，62と、ピストン部本体61の上端部に取り付けられた上蓋部63とを有している。
【００３３】
ピストン部本体61は、その上端部の位置が水琴窟本体３の貯水部15（図１）の水位を設定する部分である。
【００３４】
シール部材62，62は、ピストン部本体61とシリンダ部52の屈曲管部58とを液密に接続するもので、例えばゴムパッキンなどのＯリングであり、上下方向に互いに離間されて配設されている。
【００３５】
上蓋部63は、中央部に上部に延設する延設棒部65が一体に取り付けられているとともに、この延設棒部65の周囲に、ピストン部本体61の内部と外部である管部51内とを連通する複数、例えば６つの連通口66が穿設されている。
【００３６】
延設棒部65の上端部は、管部51の管部蓋体55に挿通されて蓋部６（図１）の上方へと突出し、この蓋部６の上方にて、クランク機構部68を介して、蓋部６上に設けられた目盛り部69に接続されている。
【００３７】
ここで、目盛り部69は、蓋部６から上方に突出する支柱部71を有し、この支柱部71の上端部に、貯水部15の水位の調整幅（例えば０〜２５０ｃｍ）を表示する目盛り表示部72が左右に円弧状に設けられ、かつ、支柱部71には、先端部が目盛り表示部72の表示を指す指針部である調整桿73の基端部が軸支部74にて回動可能に軸支されている。
【００３８】
クランク機構部68は、図１に示すように、上下一対の第１連結体76，76と、上側の第１連結体76の上端部に一端部が連結された第２連結体77とを備え、この第２連結体77の他端部が、目盛り部69の支柱部71に軸支部74にて回動可能に連結されている。
【００３９】
各第１連結体76は、長尺状にそれぞれ形成され、調整桿73の回動により互いの連結部にて屈曲可能に構成されている。
【００４０】
第２連結体77は、調整桿73と例えば９０°の角度関係を保ってこの調整桿73と一体的に回動するように連結されている。
【００４１】
一方、燐銅太鼓24は、中央部が上側へと盛り上がり、周縁部へと傾斜状に厚みが薄くなるように上下逆とした平たい盆状に形成され、貯水部15内の水位が所定の水位L1（図１実線）の状態では水没し、貯水部15内の水位が所定の水位L2（図１想像線）よりも低くなった際、例えば貯水部15内から水14が全て排水された状態で露出するように高さ位置が調整されている。また、この燐銅太鼓24は、一体に設けられた接続部81を介して移動機構25と連結されている。さらに、この燐銅太鼓24は、土台部２上に設けられた案内部材としての図示しないレール上に載置されている。このレールは、図１の紙面に垂直な方向に沿って設けられ、燐銅太鼓24を図１の紙面に垂直な方向に案内すなわちガイドするものである。
【００４２】
移動機構25は、移動ハンドル83を上端部に備えた上下に長尺状の連動桿84の下端部が、土台部２に桿軸支部85に六角嵌合されて回動可能に軸支され、連動桿84の下端部近傍に、接続部81と接続される接続突出部86が設けられている。
【００４３】
そして、この接続突出部86は、連動桿84と一体的に回動可能であり、先端部が、燐銅太鼓24の接続部81に接続ピン87を介して遊嵌され、移動ハンドル83の操作に伴う連動桿84の回動と一体に回動することで、燐銅太鼓24をレールに沿って図１の紙面に垂直な方向に進退可能となっている。
【００４４】
また、給水部７は、例えば雨水などを導水活用できるように構成されている。さらに、この給水部７には、図示しない地下還元用の排水管および下水道への排水管などの各種配管が接続されている。地下還元用の排水管は、増水により給水部７の水位が一定以上となった場合に、余剰の水を地下へと還元するもので、多数の孔部が周囲に穿設されて下端側が地下へと埋設されている。また、下水道への排水管は、さらなる増水により給水部７の水位がさらに増した場合に、その一部を下水へと還元するもので、上端部が地下還元用の排水管よりも上方に位置し、下端側が下水へと接続されている。
【００４５】
次に、上記一実施の形態の動作を説明する。
【００４６】
まず、作業者は、排水栓45を閉じた状態で第２調整ハンドル43を回動操作して第２給水栓41を開き、給水部７の水14を分岐管部28から給水立上り管27を介して給水管本体26へと導入する。
【００４７】
次いで、作業者は水位確認用針37が水位目盛り38に示す水位を目視しながら、第１調整ハンドル33を静かに回動操作して第１給水栓31を開き、水14を貯水部15へと導入する。
【００４８】
すなわち、水位確認ブイ36が浮上する給水立上り管27内の水位は、給水管21を介して連通する貯水部15の水位と等しくなるので、水位確認部39にて貯水部15内の水位を確認可能となっている。
【００４９】
そして、作業者は、第１連結体76，76を上下操作することで、窟口18から外部に出る音を適音に調整し、適宜各給水栓31，41を閉じる。
【００５０】
すなわち、第１連結体76，76の上下操作により、ピストン部53がシリンダ部52の屈曲管部58にて上下に摺動し、ピストン部53の上端部の連通口66から管部51内に水14が出て排水管22を介して排水部へと排水されることで、給水管21およびシリンダ部52を介してピストン部53と連通する貯水部15の水位（給水立上り管27内の水位）が、ピストン部53の上端部の位置と等しく設定される。
【００５１】
このため、水琴窟本体３内での開口部13からの水滴17の貯水部15への落下距離が変化することで、貯水部15の水位に対応して水琴窟本体３内で発生する水滴音が変化し、この水滴音の水琴窟本体３内での共鳴音が開口部13を介して窟口18から外部へと出る。
【００５２】
また、貯水部15内の水14は、排水調整ハンドル47を回動操作することで排水栓45を開くと、排水管22を介して排水される。
【００５３】
そして、貯水部15内の水14を全て排水して水位を０とすると、開口部13の下方に燐銅太鼓24が露出するので、作業者は、移動ハンドル83を回動操作することで燐銅太鼓24を移動させ、水滴17が衝突する燐銅太鼓24の位置を変化させることでこの衝突により発生する音色を変化させる。
【００５４】
上述したように、上記一実施の形態によれば、貯水部15に貯留される水14の水位を水位調整シリンダ23により調整することで、開口部13から落下する水滴17の水14への落下距離を変えることができ、簡単な構成で多様な音色を容易に発生できる。
【００５５】
具体的に、貯水部15に貯留される水14の水位を調整する際には、ピストン部53のシリンダ部52に対する突出量を管部51の上端側にて第１連結体76，76などにより調整することで、貯水部15と連通した管部51内でのシリンダ部52から突出したピストン部53の上端部の位置が水琴窟本体３の貯水部15の水位と等しくなるので、貯水部15の水位を容易に設定でき、この水位を容易に保つことができる。
【００５６】
また、貯水部15に貯留される水14の水位を水琴窟本体３の外部にて水位確認部39により確認可能であるため、この水位確認部39により確認しながら貯水部15に対して給排水が可能になり、貯水部15の水位調整の作業性が良好になる。
【００５７】
そして、貯水部15の水位を所定の水位L2として露出させた燐銅太鼓24の位置を移動機構25により移動させることで、開口部13から落下する水滴17の燐銅太鼓24との衝突位置を可変できるので、水滴17が燐銅太鼓24に衝突して発生する音を多様に変化させることが可能になる。
【００５８】
なお、上記一実施の形態において、水位調整部の構成は、上記水位調整シリンダ23に限定されるものではない。
【００５９】
同様に、音響体、移動機構および水位確認部などの構成も、上記構成に限定されるものではない。
【図面の簡単な説明】
【００６０】
【図１】本考案の一実施の形態の水琴窟を示す縦断面図である。
【図２】同上水琴窟の一部を拡大して示す縦断面図である。
【符号の説明】
【００６１】
１    水琴窟
３    水琴窟本体
７    給水部
11    底部
13    開口部
14    水
15    貯水部
21    給水管
22    排水管
23    水位調整部としての水位調整シリンダ
24    音響体としての燐銅太鼓
25    移動機構
39    水位確認部
51    管部
52    シリンダ部
53    ピストン部
【図１】
0003122985.tif 000003
【図２】
0003122985.tif 000004